(57)【要約】【課題】壁付け調光器等の外部調光器が存在していても、ユーザが不便を感じることなく使用することができる調光器内蔵型照明器具を提供する。【解決手段】光源３と、前記光源３への電力供給量を回転操作部４によって可変調整可能なボリューム１５、４４を含む調光回路１１、４１とを備えた調光器内蔵型照明器具１である。前記ボリューム１５、４４に、前記操作部４の回転操作によって、前記調光回路１１、４１の両端の短絡と非短絡とを切り替えるスイッチ１７が設けられている。外部調光器を用いる場合には、前記スイッチ１７により調光回路が短絡される。外部調光器を用いない場合には、調光回路が機能するように調光回路は非短絡とされる。【選択図】  図２
2005268092.tif 000002
【特許請求の範囲】
【請求項１】
光源と、前記光源への電力供給量を回転操作部によって可変調整可能なボリュームを含む調光回路と、を備えた、調光器内蔵型照明器具において、
前記ボリュームに、前記操作部の回転操作によって、前記調光回路の両端の短絡と非短絡とを切り替えるスイッチが設けられていることを特徴とする調光器内蔵型照明器具。
【請求項２】
前記ボリュームは、操作部の回転に連動して回転する第１のカムと、この第１のカムの接近方向に付勢されるとともに、第１のカムの外周形状に応じて揺動することによりボリュームのオンオフを切り替える第１のピンを備えるほか、
前記第１のカムの回転軸に連結された第２のカムと、この第２のカムの接近方向に付勢されるとともに、第２のカムの外周形状に応じて揺動する第２のピンを備え、
前記第２のピンの揺動に連動して、前記スイッチが動作するものとなされている請求項１に記載の調光器内蔵型照明器具。
【請求項３】
光源と、前記光源への電力供給量を回転操作部によって可変調整可能なボリュームを含む調光回路と、を備えた調光器内蔵型照明器具において、
前記ボリュームの操作部には、光源が最大点灯する位置とその手前の位置との間において局部的に、操作部の回転を阻止する回転阻止力が付与され、この回転阻止力に抗して前記操作部が回転操作されることにより、操作部は前記最大点灯位置に達するものとなされていることを特徴とする調光器内蔵型照明器具。
【請求項４】
前記ボリュームは、前記操作部の回転に連動して回転するカムと、このカムの接近方向に付勢されるとともに、カムの外周形状に応じて揺動することによりボリュームのオンオフを切り替えるピンとを備え、
前記カムは、前記最大調光位置とその手前の位置との間において、前記ピンを離間方向に押しやりながらピンを通過するように、その外周形状が設定されている請求項３に記載の調光器内蔵型照明器具。
【請求項５】
前記カムが前記ピンを離間方向に押しやりながらピンを通過する際に、前記ボリュームがオフに切り替わるものとなされている請求項４に記載の調光器内蔵型照明器具。
【請求項６】
前記調光回路は、前記光源と直列に接続されたスイッチ素子を含み、このスイッチ素子と並列にコンデンサが接続されている請求項３ないし５のいずれかに記載の調光器内蔵型照明器具。
【発明の詳細な説明】
【技術分野】
【０００１】
この発明は、外部調光器の有無にかかわらず使用可能な調光器内蔵型照明器具に関する。
【背景技術】
【０００２】
住宅等においては、来客時、テレビ視聴時等の各種の生活場面に応じて室内の明るさを調整することの要望が強く、このため住宅建設時に照明器具用の壁スイッチ等に、操作部によって調光状態を可変設定可能な調光器を予め据え付け、この調光器を介して照明器具が接続されるように配線工事が行われることが多くなっている。
【０００３】
一方、このような壁付けの外部調光器が設けられていない住宅での室内調光を可能とするために、操作部によって調光状態を可変設定可能な調光器が内蔵された照明器具も提案され（例えば特許文献１）、使用されるようになってきている。
【０００４】
このように、外部調光器付の住宅が増え、また調光器内蔵型照明器具が増えていることから、外部調光器が設けられた住宅であるが故に調光器内蔵型照明器具は不要であるにもかかわらず、居住者等のユーザが、調光器内蔵型照明器具を購入してしまう場合が増加している。
【特許文献１】特願平４−３４０３６８号
【発明の開示】
【発明が解決しようとする課題】
【０００５】
ところが、従来では、外部調光器に調光器内蔵型照明器具を接続すると、２個の調光器が直列に接続されることになるため、照明器具が点灯しないとか、ちらつきが発生することがあり、ユーザが不便を感じるという欠点があった。
【０００６】
この発明は、このような欠点を解消するためになされたものであって、壁付け調光器等の外部調光器が存在していても、ユーザが不便を感じることなく使用することができる調光器内蔵型照明器具の提供を課題とする。
【課題を解決するための手段】
【０００７】
上記課題を解決するために、この発明は以下の手段を提供する。
（１）光源と、前記光源への電力供給量を回転操作部によって可変調整可能なボリュームを含む調光回路と、を備えた、調光器内蔵型照明器具において、前記ボリュームに、前記操作部の回転操作によって、前記調光回路の両端の短絡と非短絡とを切り替えるスイッチが設けられていることを特徴とする調光器内蔵型照明器具。
（２）前記ボリュームは、操作部の回転に連動して回転する第１のカムと、この第１のカムの接近方向に付勢されるとともに、第１のカムの外周形状に応じて揺動することによりボリュームのオンオフを切り替える第１のピンを備えるほか、前記第１のカムの回転軸に連結された第２のカムと、この第２のカムの接近方向に付勢されるとともに、第２のカムの外周形状に応じて揺動する第２のピンを備え、前記第２のピンの揺動に連動して、前記スイッチが動作するものとなされている前項１に記載の調光器内蔵型照明器具。
（３）光源と、前記光源への電力供給量を回転操作部によって可変調整可能なボリュームを含む調光回路と、を備えた調光器内蔵型照明器具において、前記ボリュームの操作部には、光源が最大点灯する位置とその手前の位置との間において局部的に、操作部の回転を阻止する回転阻止力が付与され、この回転阻止力に抗して前記操作部が回転操作されることにより、操作部は前記最大点灯位置に達するものとなされていることを特徴とする調光器内蔵型照明器具。
（４）前記ボリュームは、前記操作部の回転に連動して回転するカムと、このカムの接近方向に付勢されるとともに、カムの外周形状に応じて揺動することによりボリュームのオンオフを切り替えるピンとを備え、前記カムは、前記最大調光位置とその手前の位置との間において、前記ピンを離間方向に押しやりながらピンを通過するように、その外周形状が設定されている前項３に記載の調光器内蔵型照明器具。
（５）前記カムが前記ピンを離間方向に押しやりながらピンを通過する際に、前記ボリュームがオフに切り替わるものとなされている前項４に記載の調光器内蔵型照明器具。
（６）前記調光回路は、前記光源と直列に接続されたスイッチ素子を含み、このスイッチ素子と並列にコンデンサが接続されている前項３ないし５のいずれかに記載の調光器内蔵型照明器具。
【発明の効果】
【０００８】
前項（１）に係る発明によれば、ボリュームに、前記操作部の回転操作によって、前記調光回路の両端の短絡と非短絡とを切り替えるスイッチが設けられているから、外部調光器が存在していない場合は、調光回路の両端を非短絡に設定しておくことで、通常の調光器内蔵型照明器具として使用できる。また、外部調光器が存在している場合には、調光回路の両端を短絡しておくことにより、調光器が内蔵されていない照明器具として使用することができる。その結果、従来のように、外部調光器と内蔵調光器が直列に接続されることによる動作不良やちらつき等を防止することができ、ユーザは不便を感じることなく使用することができる。しかも、操作部の簡単な操作によって、内蔵調光器の有無を切り替えることができ、極めて便利である。
【０００９】
前項（２）に係る発明によれば、操作部に連動して回転する第２のカムと、このカムの外周形状に応じて揺動する第２のピンに連動して、前記スイッチが動作するものとなされているから、比較的簡単な構成で前記調光回路の短絡用スイッチを構成することができる。
【００１０】
前項（３）に係る発明によれば、ボリュームの操作部には、光源の最大点灯位置とその手前の位置との間において局部的に、操作部の回転を阻止する回転阻止力が付与され、この回転阻止力に抗して前記操作部が回転操作されることにより、操作部は前記最大点灯位置に達するものとなされているから、外部調光器が存在している場合に外部調光器を安定的に動作させるために必要な最大点灯位置での操作部の保持を、強固に行うことができる。
【００１１】
つまり、ユーザにとっては、逆回転方向への不本意な力が加わった場合に、操作部が逆方向に容易に回転して外部調光器が動作不良を起こすのを防止することができ、極めて便利である。
【００１２】
しかも、ユーザは、回転阻止力に抗して操作部を回転操作させることにより、操作部が最大回動位置に達したことを直ちに認識することができるから、操作性も良くなる。
【００１３】
勿論、調光器としての機能は保持されているから、外部調光器が存在しない場合には、通常の調光器内蔵型照明器具として使用することができる。
【００１４】
前項（４）に係る発明によれば、前項（３）の構成を比較的容易に実現することができる。
【００１５】
前項（５）に係る発明によれば、前記カムが前記ピンを離間方向に押しやりながらピンを通過する際に、前記ボリュームがオフに切り替わるから、光源が瞬間的に消灯され、このため、ユーザは操作部が最大回動位置に収まったことを益々容易に認識し易くなる。
【００１６】
前項（６）に係る発明によれば、調光回路は、前記光源と直列に接続されたスイッチ素子を含み、このスイッチ素子と並列にコンデンサが接続されているから、外部調光器が存在する場合に、その外部調光器のスイッチ素子のオン動作を安定して行わせることができ、ひいては外部調光器をより安定的に動作させることができる。
【発明を実施するための最良の形態】
【００１７】
以下、この発明の一実施形態を説明する。
【００１８】
図１は、本発明の第１の実施形態に係る調光器内蔵型照明器具１の外観図である。
【００１９】
この調光器内蔵型照明器具１は、基部２と、例えば白熱電球からなる光源３と、この光源３の調光状態を回転操作によって可変設定するための操作つまみ４と、前記基部２を被覆して光源３の周囲に張り出したカバー５と、基部２から引き出された電源コード６と、フランジ７等を備えるとともに、前記基部２には調光回路１１が内蔵されている。
【００２０】
前記調光器内蔵型照明器具１の調光回路１１を含む電気的な構成を図２に示す。
【００２１】
図２において、３０は商用電源に接続された壁付け調光器等の外部調光器であり、前記光源３は、この外部調光器３０を介して交流電力の供給を受けるものとなされている。
【００２２】
照明器具１内の調光回路１１は、電流安定化用のインダクタ１２を介して前記光源３と直列に接続されている。この調光回路１１は、光源３に直列に接続されたスイッチ素子としてのトライアック１３と、このトライアック１３をオンするためのトリガー回路１４とを備え、このトリガー回路１４は、トライアック１３をオンにするタイミングを可変抵抗によって変えることにより光源３への電力供給量を可変調整するためのボリューム１５を備えている。そして、前記トライアック１３をオンするタイミングを、ユーザが前述の操作つまみ４の回転操作によって可変調整し、これにより光源３の調光状態を任意に設定できるものとなされている。
【００２３】
なお、トリガー回路１４の具体的回路構成は周知であるので、詳細な説明は省略する。
【００２４】
また、前記直列接続されたインダクタ１２及び調光回路１１と並列に、平滑用コンデンサ１６が接続されている。
【００２５】
この実施形態では、前記ボリューム１５にスイッチ１７が設けられている。このスイッチ１７は、前記操作つまみ４の回転操作に応じて、調光回路１１（トライアック１３）の両端の短絡と非短絡とを切り替えるものである。
【００２６】
図３は、ボリューム１５の構成を概略的に示す正面断面図である。このボリューム１５は、第１のカム２１と第１のピン２２を備えている。前記第１のカム２１は、これを厚さ方向（図３の紙面厚さ方向）に貫通する回転軸部２３に連結され、この回転軸部２３の長さ方向の一端部には、前記操作つまみ４が連結されている。従って、操作つまみ４の回転操作により、回転軸部２３が自軸回りに回転し、第１のカム２１が回転軸２３を中心として、図示しないストッパで規制される所定角度範囲内で回転するようになっている。
【００２７】
また、前記回転軸部２３には、図示しない可変抵抗部が連動していて、操作つまみ４の回転によって可変抵抗部の抵抗値が変化し、これによりトライアック１３のオンタイミングが変化し、ひいては光源３への電力供給量つまり調光状態が変化するものとなされている。
【００２８】
一方、前記第１のピン２２は断面円形をなし、前記回転軸部２３と同様にカムの厚さ方向に延びている。この第１のピン２２は、図示しないバネ等の弾性体によってカム２１との接近方向に付勢されている。第１のピン２２は、後述するように、第１のカム２１の外周形状に応じてカム２１に対し接離方向に揺動するが、接近したときにボリューム１５の接点がオンとなって、図示しない可変抵抗部が機能可能となり、離間するとボリューム１５の接点がオフとなって可変抵抗部が機能不可能となるものとなされている。
【００２９】
図３（ａ）は、前記操作つまみ４を反時計方向に最大回動させた状態を示すものであり、第１のカム２１の外周部には二股状突起２４が形成されており、この二股状突起２４の間の位置に前記第１のピン２２が係合している。この状態では、第１のピン２２が第１のカム２１に対して離間したオフ位置にあり、ボリューム１５の接点はオフとなっている。
【００３０】
この状態から、操作つまみ４を時計方向に回転させて第１のカム２１を回転させると、第１のカム２１の二股状突起２４の回転方向後方側の部分が第１のピン２２をその外周形状に沿って外方に押しやり、第１のピン２２は第１のカム２１と離間する方向に移動する。そして、二股状突起２４の回転方向後方側の部分が第１のピン２２を通過すると、図３（ｂ）に示すように、第１のピン２２は接近方向にオン位置まで移動して、ボリューム１５の接点はオンとなり、可変抵抗部が機能する。以後、操作つまみ４（第１のカム２１）が時計方向への最大回転位置に達するまで、第１のピン２２はオン位置に保持されてボリューム１５の接点はオンを継続するように、第１のカム２１の外周形状が設定されている。また、操作つまみ４の時計方向への回転に伴い、可変抵抗部の可変抵抗値は連続的に減少し、光源３は連続的に明るくなる。
【００３１】
なお、第１のピン２２の揺動によってボリューム１５の接点をオンオフさせる機構、及び回転軸部２３の回転によって可変抵抗部の抵抗値を可変にする機構は、周知であるので、詳細な説明は省略する。
【００３２】
前記回転軸部２３には第２のカム２５が連結されるとともに、この第２のカム２５の外周部と係合可能な位置に、断面円形の第２のピン２６が配置されている。この第２のピン２６も第１のピン２２と同様に、図示しないバネ等の弾性体によってカム２５側に付勢されている。この第２のピン２５には、調光回路１１（トライアック１３）の両端に接続された図２のスイッチ１７が設けられている。このスイッチ１７もまた、ボリューム１５のオンオフと同様に接点から構成されている。
【００３３】
前記第２のピン２６は、第２のカム２５の外周形状に応じて第２のカム２５に対し接離方向に揺動するが、接近したときに接点がオンとなって、調光回路１１が短絡状態つまり調光回路１１が存在しない状態となり、離間すると接点がオフとなり、調光回路１１は通常の存在状態として調光機能を発揮する。
【００３４】
また、前記第２のカム２５は、外周部に凹部２７を有し、操作つまみ４の時計方向への最大回転位置（図３（ｃ）の状態）において、第２のピン２６が前記凹部２７にはまるまで第２のカム２５へ接近して接点オン位置に保持される。また、時計方向への最大回転位置に達するまでは、第２のカム２５から離間する方向に移動して接点オフ位置に保持されるように、第２のカム２５の外周形状が設定されている。
【００３５】
次に、図１〜図３に示した調光器内蔵型照明器具１の使用方法を説明する。
【００３６】
外部調光器３０が存在している場合には、操作つまみ４を時計方向に最大回転させる。この位置では、図３（ｃ）のように、ボリューム１５の第２のピン２６が第２のカム２５の凹部に嵌まってスイッチ１７の接点が閉じ、調光回路１１は短絡される。つまり、調光器の存在しない照明装置と同じとなり、この状態では、外部調光器３０によって調光が可能となる。
【００３７】
一方、外部調光器３０が存在しない場合には、内蔵調光器を機能させる。即ち、操作つまみ４が図３（ａ）に示す反時計方向への最大回動位置にあるときは、第１のピン２２が第１のカム２１の二股状突起間２４の間に係合して接点オフ位置に保持されて、ボリューム１５の接点はオフになっており、光源３は点灯しない。
【００３８】
操作つまみ４を時計方向へ回転させると、図３（ｂ）に示すように、第１のピン２２は二股状突起２４から外れて接点オン位置へと移動し、ボリューム１５の接点がオンとなって可変抵抗部が機能する。可変抵抗部は操作つまみ４の時計方向への回転に伴い抵抗値が小さくなるから、操作つまみ４の時計方向への回転に伴い、光源３は連続的に明るくなる。時計方向へ最大回転すると、前述のように調光回路１１は短絡されるから、光源の明るさは最大となる。このようにして、照明器具１側の操作つまみ４によって調光を行うことができる。
【００３９】
以上の説明から理解されるように、この実施形態に係る調光器内蔵型照明器具１によれば、外部調光器３０が存在していない場合は、通常の調光器内蔵型照明器具として使用でき、外部調光器３０が存在している場合には、調光器が内蔵されていない照明器具として使用することができるから、従来のように、外部調光器と内蔵調光器が直列に接続されることによる動作不良やちらつき等を防止することができ、ユーザは不便を感じることなく使用することができる。
【００４０】
しかも、操作つまみ４だけの簡単な操作によって、内蔵調光器の有無を切り替えることができ、極めて便利である。
【００４１】
次に、この発明の第２の実施形態を説明する。
【００４２】
図４は、調光器内蔵型照明器具１の調光回路を含む電気的構成図、図５はボリュームの構成を概略的に示す平面図である。
【００４３】
図４において、３は光源、１２はインダクタ、１６は平滑用コンデンサであり、これらは図２に示したものと同一である。
【００４４】
４１は調光回路であり、この調光回路４１は、スイッチ素子としてのトライアック１３と、このトライアック１３をオンするためのトリガー回路４２と、トライアック１３と並列に接続されたコンデンサ４３を備え、また、前記トリガー回路４２は、トライアック１３をオンにするタイミングを可変抵抗によって変えることにより光源３への電力供給量を可変調整するためのボリューム４４を備えている。トリガー回路４２の構成は、ボリューム４４を除いて図３に示したものと同じである。そして、前記トライアック１３をオンするタイミングを、ユーザが前述の操作つまみ４の回転操作によって可変調整し、これにより光源３の調光状態を任意に設定できるものとなされている。
【００４５】
前記コンデンサ４３は、外部調光器３０に用いられているスイッチ素子３１（例えばトライアック）をオンするためのゲート電流を確保するために設けられたものであり、ボリューム４４の抵抗値を最小（光源は最大点灯状態）にすることとの組み合わせで、外部調光器３０側のスイッチ素子３１を安定的に動作させることができる。
【００４６】
なお、外部調光器３０側のスイッチ素子３１をさらに安定的にオンさせるために、必要に応じて、平滑用コンデンサ１６の容量を調整しても良い。
【００４７】
前記ボリューム４４は、第２のカム２５及び第２のピン２６が存在しない（従って図２のスイッチ１７も存在しない）点、及び第１のカム２１の外周形状が一部相違している点を除いて、図３に示したものと同じであり、相違点のみを説明する。
【００４８】
図５（ａ）は、前記操作つまみ４を反時計方向に最大回転させた状態を示すものであり、この状態では図３に示したものと同様に、カム５１の二股状突起５４の間の位置にピン５２が係合している。５３は回転軸部であり、カム５１と操作つまみ４を連結する。この状態では、図３に示したものと同様に、ピン５２はカム５１から離間したオフ位置にあり、ボリューム４４の接点はオフとなっている。
【００４９】
カム５１の外周部には、二股状突起５４から反時計方向に進んだ位置において、径方向外方に山形に突出する突起５５が形成されている。この山形突起５５は、操作つまみ４の時計方向への最大回転位置の手前で、ピン５２に係合するものとなされている。
【００５０】
即ち、操作つまみ４が図５（ａ）の位置から時計方向へ回転されると、カム５１も回転し、可変抵抗部の抵抗値は連続的に小さくなる。最大回転位置に近付くと、図５（ｃ）のように山形突起５５の一方側の綾部５５ａにピン５２が係合し、さらに回転させると、図５（ｄ）のようにピン５２は山形突起５５の形状に従って離間方向に押しやられる。この際、ピン５２がオフ位置に達するように、山形突起５５の突出形状が設定されている。
【００５１】
山形突起５５の頂部がピン５２を通過すると、ピン５２は付勢力によって接近方向にオン位置まで移動する。この時点で、操作つまみ４は最大回転位置に達すると共に、可変抵抗部の抵抗値は最小となる。このように、山形突起５５を設けることによって、最大回転位置の手前で回転阻止力を付与し、この回転阻止力に抗して操作つまみ４を回転させることによって最大回転位置に到達することになる。
【００５２】
操作つまみ４を最大回転位置から反時計方向に戻す場合には、再度ピン５２に対して山形突起５５を通過させる必要があるから、不本意な接触などによって操作つまみ４に反時計方向への回転力が付与されたとしても、操作つまみ４は最大回転位置に保持される。
【００５３】
本実施形態において、このような構成を採用したのは次の理由による。
【００５４】
即ち、外部調光器３０が存在している場合に、外部調光器３０側のスイッチ素子３１を安定的に動作させるためには、前述したように、操作つまみ４を時計方向へ最大回転させ、可変抵抗部の抵抗値を最小に保持しておく必要があり、操作つまみ４が反時計方向に回転してしまうと、動作不良やちらつき等を生じてしまう。
【００５５】
そこで、上記のように、最大回転位置の手前で山形突起５５とピン５２とを係合させ、山形突起５５がピン５２を通過した位置で最大回転位置に達するものとすることにより、最大回転位置での操作つまみ４の保持強化を図り、安定的な動作を確保したものである。
【００５６】
しかも、ユーザは、山形突起５５がピン５２を通過するときの抵抗力と通過後の解放感を感じることができるから、カチッという音によるクリック感とも相俟って、適正位置に収まったことを認識することができ、極めて操作性が良い。
【００５７】
また、山形突起５５がピン５２を通過するときにピンはオフ位置となるから、瞬間的にボリューム４４の接点がオフとなり、光源３が点灯している場合には一瞬遮断し、これによってもユーザは操作つまみ４が最大回転位置に納まったことを認識することができる。
【００５８】
しかもまた、図２及び図３に示した第１実施形態では、第１のカム２１及び第１のピン２２の他に、第２のカム２５と第２のピン２６が必要であり、ボリューム１５の大きさが大きくなってしまうが、この第２の実施形態では、第２のカム及び第２のピンは不要であり、ボリューム４４を大きくしなくても良いという利点がある。
【００５９】
次に、図４及び図５に示した調光器内蔵型照明具の使用方法を説明する。
【００６０】
外部調光器３０が存在している場合には、操作つまみ４を時計方向に最大回転させる。前述したように、最大回転位置の手前で、カム５１の山形突起５５がピン５２を通過するから、ユーザは操作つまみが最大回転位置に達したことを、簡単に認識することができる。この状態では、ボリューム４４の可変抵抗値は最小となっているから、図４の外部調光器３０によって調光が可能となる。しかも、山形突起５５の存在によって、操作つまみ４は前記最大回転位置に強く保持されるから、操作つまみ４の反時計方向への不本意な回転を抑制することができ、外部調光器３０側のスイッチ素子３１を安定的に動作させることができる。
【００６１】
一方、外部調光器３０が存在しない場合には、内蔵調光器を機能させる。即ち、操作つまみ４が反時計方向への最大回転位置にあるときは、ピン５２がカム５１の二股状突起５４の間に係合してオフ位置に保持され、ボリューム４４の接点はオフになっており、光源３は点灯しない。
【００６２】
操作つまみ４を時計方向へ回転させると、ピン５２は二股状突起５４から外れてオン位置へと移動し、ボリューム４４の接点がオンとなって可変抵抗部が機能する。可変抵抗部は操作つまみ４の時計方向への回転に伴い抵抗値が小さくなっているから、操作つまみ４の時計方向への回転に伴い、光源３は明るくなる。時計方向への最大回転位置に達すると光源３の明るさは最大となる。このようにして、照明器具１側の操作つまみ４によって調光を行うことができる。
【００６３】
以上、本発明の一実施形態を説明したが、本発明はこれらの実施形態に限定されるものではない。
【００６４】
例えば、第１の実施形態において、操作つまみ４を時計方向に最大回転させたときに接点が閉じて調光回路１１が短絡されるものとなされていたが、反時計方向に最大回転させたときに、ボリューム４４のオフと同時に調光回路１１が短絡される構成としても良い。
【図面の簡単な説明】
【００６５】
【図１】この発明の一実施形態に係る調光器内蔵型照明器具の斜視図である。
【図２】図１の照明器具の電気的構成を示すブロック回路図である。
【図３】ボリュームのカムとピンとの関係を説明するための正面断面図である。
【図４】この発明の他の実施形態に係る調光器内蔵型照明器具の電気的構成を示すブロック回路図である。
【図５】図４の照明器具におけるボリュームのカムとピンとの関係を説明するための正面断面図である。
【符号の説明】
【００６６】
１    調光器内蔵型照明器具
３    光源
４    操作つまみ（操作部）
１１  調光回路
１３  トライアック
１５  ボリューム
１７  スイッチ
２１  第１のカム
２２  第１のピン
２５  第２のカム
２６  第２のピン
３０  外部調光器
４１  調光回路
４３  コンデンサ
４４  ボリューム
５１  カム
５２  ピン
５５  山形突起
【図１】
2005268092.tif 000003
【図２】
2005268092.tif 000004
【図３】
2005268092.tif 000005
【図４】
2005268092.tif 000006
【図５】
2005268092.tif 000007